(57)【要約】【課題】  凸形状の壁面を利用した追跡ドットを形成することで、画像品質の劣化がなく追跡情報が付けられる画像形成装置と、その追跡ドットを読み取る画像読取装置とを提供する。【解決手段】  画像形成装置１００内の印刷部１０２において、熱発泡性トナーにより形成される画像の用紙の側面に望む部分に傾斜面部を有して、該傾斜面部に文書の追跡情報に対応する符号画像が印刷された用紙が形成されるように、画像形成装置１００を構成する。【選択図】  図１
2009115837.tif 000002
【特許請求の範囲】
【請求項１】
熱発泡性トナーにより形成された画像の用紙の側面に望む部分に少なくとも傾斜面部を有する立体画像に対応する第１の画像情報を作成する第１の画像情報作成手段と、
前記立体画像の傾斜面に前記用紙上に形成される文書の追跡情報に対応する符号画像に対応した第２の画像情報を作成する第２の画像情報作成手段と、
前記第１の画像情報作成手段で作成された前記第１の画像情報と前記第２の画像情報作成手段で作成された前記第２の画像情報に基づき、前記用紙の側面に望む前記立体画像の傾斜面部に前記追跡情報に対応する符号画像が形成された立体符号画像を含む画像を前記用紙上に形成する画像形成手段と
を具備する画像形成装置。
【請求項２】
前記画像形成手段は、
前記立体符号画像を前記用紙の表面の縁部の所定位置に形成する請求項１に記載の画像形成装置。
【請求項３】
前記画像形成手段は、
前記立体符号画像を前記用紙の表面の縁部および裏面の縁部の所定位置に形成する請求項１に記載の画像形成装置。
【請求項４】
前記立体画像の傾斜面部は、
第１の傾斜面と、
前記第１の傾斜面より傾斜角が大きい第２の傾斜面と
を有し、
前記符号画像は、
前記第１の傾斜面を前記用紙の色と異なる色に着色することにより前記符号画像を形成する請求項１に記載の画像形成装置。
【請求項５】
前記画像形成手段は、
前記用紙に形成される画像に対応する文書が出力を禁止する文書である場合に前記立体符号画像を形成する請求項１に記載の画像形成装置。
【請求項６】
前記画像形成手段は、
前記用紙に形成される画像に対応する文書の出力が日時に対応して制限されている文書である場合に前記立体符号画像を形成する請求項１に記載の画像形成装置。
【請求項７】
前記追跡情報は、
前記画像形成装置の製造元、型式、機械番号、画像形成日の少なくとも１つの情報を含む請求項１に記載の画像形成装置。
【請求項８】
熱発泡性トナーにより形成された画像の用紙の側面に望む部分に少なくとも傾斜面部を有する立体画像に対応する第１の画像情報が第１の画像情報作成手段により作成され、
前記立体画像の傾斜面に前記用紙上に形成される文書情報に対応する符号画像に対応した第２の画像情報が第２の画像情報作成手段により作成され、
前記第１の画像情報作成手段で作成された前記第１の画像情報と前記第２の画像情報作成手段で作成された前記第２の画像情報に基づき、前記用紙の側面に望む前記立体画像の傾斜面部に前記文書情報に対応する符号画像が形成された立体符号画像を含む画像を読み取る読取手段と、
前記読取手段で読み取った立体符号画像より前記文書情報を検出する文書情報検出手段と、
前記文書情報検出手段で検出した前記文書情報を操作者に表示する文書情報表示手段と
を備える画像読取装置。
【請求項９】
前記表示手段で表示した前記文書情報より所望の文書情報を前記操作者より受け付ける受付手段と、
前記受付手段で受け付けた文書情報に対応する前記符号画像の前記読取手段で読み取った画像における位置を検出する位置検出手段と、
前記位置検出手段で検出した位置を操作者に表示する位置表示手段と
を備える請求項８に記載の画像読取装置。
【発明の詳細な説明】
【技術分野】
【０００１】
本発明は、画像形成装置、画像読取装置に関する。
【背景技術】
【０００２】
近年の印刷装置は高品質であり、特にカラープリンタやカラー複写機は高画像のカラー印刷を行うことができるため、紙幣や有価証券などの偽造目的で不正に利用される恐れがある。
【０００３】
また、印刷装置で行われる他の不正利用として、企業内で使用される持ち出し禁止の機密書類が業務時間外に不正に印刷されるなどの不正印刷の恐れもある。
【０００４】
そこで、印刷装置より印刷して出力される媒体に、印刷装置のメーカ、機械番号、印刷日などの追跡情報を付加する技術が開発されている。
【０００５】
特許文献１では、特定したスクリーンによって示されるドット位置に入力された原稿画像の濃度に応じてドットを描画するスクリーニング処理手段と、複数のドットから形成された所定のドットパターンをスクリーニング処理手段が特定したスクリーン内の所定の位置にドットが重なるように描画するパターン画像形成手段とをそなえることで、画質劣化を生じない追跡パターン画像を付加することを低コストで実現できる画像形成装置が提案されている。
【０００６】
また、特許文献２によれば、熱発泡性トナーを用いて、複数の壁面を有する凸形状の画像を形成し、凸形状の異なった壁面に、種類の異なる複数の画像を形成するようにして、２種類以上のドキュメント可視画像を書き込む画像形成装置が提案されている。
【特許文献１】特開２００６−１２１３３０号公報
【特許文献２】特開２００２−２７８３７０号公報
【発明の開示】
【発明が解決しようとする課題】
【０００７】
しかし、特許文献１の発明は、追跡ドットが用紙正面から視認できてしまい、さらに、画像劣化防止の為に、ドットを小さくする必要があった。
【０００８】
また、追跡ドットを黄色などで形成する必要がある為、正確にスキャンできないこともあった。
【０００９】
また、特許文献２の発明で使用されている熱発泡トナーの技術を使用すれば、壁面を有する凸形状の画像を形成することができる。
【００１０】
そこで、本願発明は、凸形状の壁面を利用した追跡ドットを形成することで、画像品質の劣化がなく追跡情報が付けられる画像形成装置を提供することを目的とする。
【００１１】
また、本願発明の画像形成装置より出力される追跡ドットの特性を利用して、用紙の側面からの読み取りによって本や書類の内容が把握される画像読取装置を提供することを目的とする。
【課題を解決するための手段】
【００１２】
上記目的を達成する為、請求項１の発明の画像形成装置は、熱発泡性トナーにより形成された画像の用紙の側面に望む部分に少なくとも傾斜面部を有する立体画像に対応する第１の画像情報を作成する第１の画像情報作成手段と、前記立体画像の傾斜面に前記用紙上に形成される文書の追跡情報に対応する符号画像に対応した第２の画像情報を作成する第２の画像情報作成手段と、前記第１の画像情報作成手段で作成された前記第１の画像情報と前記第２の画像情報作成手段で作成された前記第２の画像情報に基づき、前記用紙の側面に望む前記立体画像の傾斜面部に前記追跡情報に対応する符号画像が形成された立体符号画像を含む画像を前記用紙上に形成する画像形成手段とを具備するように構成される。
【００１３】
また、請求項２の発明は、請求項１の発明において、前記画像形成手段は、前記立体符号画像を前記用紙の表面の縁部の所定位置に形成するように構成される。
【００１４】
また、請求項３の発明は、請求項１の発明において、前記画像形成手段は、前記立体符号画像を前記用紙の表面の縁部および裏面の縁部の所定位置に形成するように構成される。
【００１５】
また、請求項４の発明は、請求項１の発明において、前記立体画像の傾斜面部は、第１の傾斜面と、前記第１の傾斜面より傾斜角が大きい第２の傾斜面とを有し、前記符号画像は、前記第１の傾斜面を前記用紙の色と異なる色に着色することにより前記符号画像を形成するように構成される。
【００１６】
また、請求項５の発明は、請求項１の発明において、前記画像形成手段は、前記用紙に形成される画像に対応する文書が出力を禁止する文書である場合に前記立体符号画像を形成するように構成される。
【００１７】
また、請求項６の発明は、請求項１の発明において、前記画像形成手段は、前記用紙に形成される画像に対応する文書の出力が日時に対応して制限されている文書である場合に前記立体符号画像を形成するように構成される。
【００１８】
また、請求項７の発明は、請求項１の発明は、前記追跡情報は、前記画像形成装置の製造元、型式、機械番号、画像形成日の少なくとも１つの情報を含むように構成される。
【００１９】
また、請求項８の発明は、熱発泡性トナーにより形成された画像の用紙の側面に望む部分に少なくとも傾斜面部を有する立体画像に対応する第１の画像情報が第１の画像情報作成手段により作成され、前記立体画像の傾斜面に前記用紙上に形成される文書情報に対応する符号画像に対応した第２の画像情報が第２の画像情報作成手段により作成され、前記第１の画像情報作成手段で作成された前記第１の画像情報と前記第２の画像情報作成手段で作成された前記第２の画像情報に基づき、前記用紙の側面に望む前記立体画像の傾斜面部に前記文書情報に対応する符号画像が形成された立体符号画像を含む画像を読み取る読取手段と、前記読取手段で読み取った立体符号画像より前記文書情報を検出する文書情報検出手段と、前記文書情報検出手段で検出した前記文書情報を操作者に表示する文書情報表示手段とを備えるように構成される。
【００２０】
また、請求項９の発明は、請求項８の発明において、前記表示手段で表示した前記文書情報より所望の文書情報を前記操作者より受け付ける受付手段と、前記受付手段で受け付けた文書情報に対応する前記符号画像の前記読取手段で読み取った画像における位置を検出する位置検出手段と、前記位置検出手段で検出した位置を操作者に表示する位置表示手段とを備えるように構成される。
【発明の効果】
【００２１】
請求項１の発明によれば、側面を望む傾斜面部に符号画像が形成された用紙が形成される。
【００２２】
請求項２の発明によれば、縁部に立体符号画像が形成された用紙が形成される。
【００２３】
請求項３の発明によれば、両面に立体符号画像が形成された用紙が形成される。
【００２４】
請求項４の発明によれば、傾斜角が異なる複数の傾斜面を有する立体符号画像が形成された用紙が形成される。
【００２５】
請求項５の発明によれば、出力が禁止される文書の印刷に立体符号画像が用紙に形成さえる。
【００２６】
請求項６の発明によれば、出力が日時に対応して制限される文書の印刷に立体符号画像が用紙に形成される。
【００２７】
請求項７の発明によれば、画像形成装置の製造元、型式、機械番号、画像形成日の少なくとも１つの情報が立体符号画像に記録された用紙が形成される。
【００２８】
請求項８の発明によれば、立体符号画像が形成された用紙の文書情報が表示されるという効果を奏する。
【００２９】
請求項９の発明によれば、所望の立体符号画像の位置が表示されるという効果を奏する。
【発明を実施するための最良の形態】
【００３０】
以下、本発明に係わる画像形成装置、画像読取装置の実施例について添付図面を参照して詳細に説明する。
【実施例１】
【００３１】
まず、画像形成装置１００で構成されるシステムについて図１を参照して説明を行う。
【００３２】
図１は、画像形成装置１００で構成されるシステムについて示した構成図である。
【００３３】
図１に示すように画像形成装置１００とクライアントＰＣ２０とが通信回線１０に接続される。
【００３４】
画像形成装置１００は、複写、画像読取、印刷機能等を有する複合機である。  そして、複写、画像読取時に原稿の画像データと原稿に付与された追跡ドット３０１を読み取るスキャナ部１０１と、各種画像を追跡ドット３０１を付与した用紙３００に印刷を行う印刷部１０２とを有する。  画像形成装置１００では、印刷ドットを付与しない印刷も、もちろん可能である。
【００３５】
クライアント２０では、電子文書が作成されて画像形成装置１００へ印刷指示が送られる。
【００３６】
次に、画像形成装置１００のスキャナ部１０１の構成について図２を参照して説明する。
【００３７】
図２に示すようにスキャナ部１０１は、ＣＣＤ(Charge Coupled Devices)１（１０３）、ＣＣＤ２（１０４）、ＲＯＭ(Read Only Memory)／ＲＡＭ(Random Access Memory)（１０５）、ランプ１０６、ＣＰＵ(Central Processing Unit)１０７、Ａ／Ｄ変換部１０８、ＩＰＳ処理部１０９、Ａ／Ｄ変換部１１０、ＩＰＳ処理部１１１、電源１１２、スイッチ１１３、表示／ランプ制御部１１４、表示部１１５、Ｕ／Ｉ液晶ディスプレイ１１６、ローカルＩ／Ｆ部１１７、ＮＥＴ１１８を備える。
【００３８】
ＣＣＤ１（１０３）は、ドキュメントの画像を読み取る画像読み取り素子である。
【００３９】
ＣＣＤ２（１０４）は、用紙に付与された追跡ドット３０１を含んだ画像を読み取る為専用の画像読み取り素子である。
【００４０】
ＲＯＭ／ＲＡＭ１０５は、追跡ドット３０１に入力される追跡ドット情報の一覧表や、画像形成装置１００より出力が禁止される原稿画像の機密パターンに関する情報や、画像形成装置１００より出力した用紙に付与された追跡ドット３０１に入力された情報などを記憶する。
【００４１】
ランプ１０６は、ドキュメントに光を照射する。
【００４２】
ＣＰＵ１０７は、スキャナ部１０１の統括的な制御を行い、読み取った画像を制御したり、読み取った追跡ドット３０１についての制御を行う。  また、ＣＰＵ１０７は、読み取った画像が出力禁止であるか否かを、ＲＯＭ／ＲＡＭ１０５に記憶さえる機密パターンに関する情報と比較して判断する処理を行う。
【００４３】
Ａ／Ｄ変換部１０８、１１０はアナログ信号からデジタル信号への変換を行う。  ＩＰＳ処理部１０９、１１１はノイズ処理を行う。  表示／ランプ制御部１１４は、表示部１１５、ランプ１０６の制御を行う。
【００４４】
次に、画像形成装置１００の印刷部１０２の構成について図３を参照して説明を行う。
【００４５】
図３に示すように印刷部１０２は、ＮＩＣ(Network Interface Card)（１２０）、ＵＳＢ(Universal Serial Bus)ポートＩ／Ｆ部１２１、データ送受信制御回路１２２、時計機能部１２３、ＲＡＭ(Random Access Memory)１２４、ＲＯＭ(Read Only Memory)１２５、ＣＰＵ１２６、ビデオＩ／Ｆ部１２７、操作表示パネル１２８、プリンタエンジン１２９、用紙サイズ検知部１３０を備える。
【００４６】
データ送受信制御回路１２２は、ＮＩＣ１２０、ＵＳＢポートＩ／Ｆ部１２１を通して送受信されるデータの制御を行う。
【００４７】
時計機能部１２３は、日時を測定する。
【００４８】
ＲＯＭ１２５は、追跡ドット３０１に入力される追跡ドット情報の一覧表や、画像形成装置１００より出力が禁止される日時の情報などを記憶する。
【００４９】
ＣＰＵ１２６は、印刷部１０２の統括的な制御を行い、出力する追跡ドット３０１の番号を作成する処理や、出力指示された日時を判断して不正出力か否かの判断などを行う。
【００５０】
ビデオＩ／Ｆ部１２７は、ＣＰＵ１２６で合成された画像をプリンタエンジン１２９に渡す。
【００５１】
操作表示パネル１２８では、ユーザからの操作の指示を受け付け、また、ユーザに各種情報を表示する。
【００５２】
プリンタエンジン１２９は、画像を用紙に印刷して出力する処理を行い、また、追跡ドット情報が記録された追跡ドット３０１を用紙に付与して印刷することができる。  追跡ドット３０１は、発泡性トナーによって立体的に形成される。  発泡性トナーに関する技術としては、特開2002-278370の公報を参照して実現可能である。
【００５３】
用紙サイズ検知部１３０は、スキャナ部１０１に配置された複写される用紙のサイズを検知する処理を行う。
【００５４】
次に、追跡ドット３０１に記録される追跡ドット情報について図４を参照して説明を行う。
【００５５】
図４は、追跡ドット３０１に記録される情報について示した一覧表である。
【００５６】
図４に示すように、追跡ドット３０１には、用紙が出力された画像形成装置１００のメーカ名と型式と機械番号と用紙が出力された印刷日とが記録される。
【００５７】
図４に示す追跡ドットの一覧表には、メーカ名の具体的な名前と数字との対応が記されている。  型式、機械番号、印刷日についても、具体的な内容と数字との対応が、追跡ドットの一覧表に記される。
【００５８】
そして、メーカ名と型式は７bitで記録され、機械番号は１８bitで記録され、印刷日は１６bitで記録され、結局、基本的には１つの追跡ドット３０１には４８bitの情報が記録される。
【００５９】
次に、画像形成装置１００より出力される用紙に付与される追跡ドット３０１について具体的に図５を参照して説明する。
【００６０】
図５に示すように、追跡ドット３０１は、用紙３００のエッジ付近に形成される。  エッジから離れた用紙の内側に形成されると用紙の側面から望んだ追跡ドット３０１の読み取りが困難になるので、追跡ドット３０１の形成位置は側面からの追跡ドット３０１の読み取りが可能な範囲の位置に形成されるのが好ましい。  その点を考慮して、追跡ドット３０１は、エッジから２０ｍｍ以内に形成される。
【００６１】
追跡ドット３０１は、熱発泡性トナーが使用されて壁面を有する凸形状を成している。  そして、追跡ドット３０１は、斜度の種類が異なる壁面が複数存在し、一方の斜度の壁面は黒色に（図５（ｂ）参照番号３０２）、他方の斜度の壁面は白色に（図５（ｂ）参照番号３０３）印刷される。  このように、壁面に印刷される色は、視認しにくい色（例えば、黄色）でなくてかまわない。  壁面が着色されるので、用紙に印刷される画像の劣化が少ないからである。  尚、壁面の色を、白と黒とを逆の色で構成してももちろんかまわない。
【００６２】
そして、追跡ドット３０１に情報入力されるバーコードの情報は、黒色に印刷される壁面の長さと位置が調節されて、追跡ドット３０１に記録される。
【００６３】
用紙に付与された追跡ドット３０１は、用紙の側面から望んだ画像が読み取られると図５（ｃ）に示すようにバーコードの模様が読み取られる。
【００６４】
それで、側面から読み取られる画像が解析されることによって、バーコードに記録された情報が取得される。
【００６５】
また、壁面を構成する色であって、バーコードを構成する色は、白と黒だけではなく、他の色を混ぜて構成されてもよい。  他の色が混ぜられてバーコードが構成されることにより、バーコードに入力さえる情報量が増え、バーコード自体の長さが短くされることができる。
【００６６】
この追跡ドット３０１は、ＣＰＵ１２６で、熱発泡性トナーで形成される凸形状の立体画像と凸形状の壁面を印刷する画像とが生成されて合成される。  壁面を印刷する画像によってバーコードが生成される。
【００６７】
そして、合成された画像と文書の画像とが合成されてプリンタエンジン１２９で印刷されて、凸形状の追跡ドット３０１が用紙に付与される。
【００６８】
次に、追跡ドット３０１が用紙の両面に付与されるパターンについて図６を参照して説明を行う。
【００６９】
図６は、追跡ドット３０１が用紙３００の両面に付与される場合を示した模式図である。
【００７０】
図６（ａ）に示すように、画像形成装置１００では、両面印刷の機能によって、用紙３００の表面だけでなく裏面にも、追跡ドット３０１が付与されることが可能である。
【００７１】
そして、裏面に付与する追跡ドット３０１の位置は、図６（ａ）に示すように用紙３００の側面から望むと、二つの追跡ドット３０１が用紙３００を挟んで対向する位置だけではなく、図６（ｂ）に示すように用紙３００の側面から望んで二つの追跡ドット３０１が用紙３００を挟んで対向しないでずれた位置にあってもよい。
【００７２】
図６（ｂ）に示すように表面と裏面の追跡ドット３０１が用紙の側面から望んで対向しないずれた位置に付与されることにより、用紙３００の厚みが薄くなる効果がある。
【００７３】
次に、１つの追跡ドット３０１が分割されて用紙３００に付与される場合について図７を参照して説明を行う。
【００７４】
図７は、用紙３００に付与される追跡ドット３０１が複数に分割された例を示す模式図である。
【００７５】
図７（ａ）に示す追跡ドット３０１には、図４を参照して説明したように、用紙３００を出力した画像形成装置１００のメーカ名、型式、機械番号、印刷日が記録されている。  しかし、用紙３００に付与される追跡ドットを、メーカ名が記録される追跡ドット３０１−ａ、型式が記録される追跡ドット３０１−ｂ、機械番号が記録される追跡ドット３０１−ｃ、印刷日が記録される追跡ドット３０１−ｄ、追跡ドット３０１−ａ〜ｄに記録された内容が記録されるヘッダとしての役目を担う追跡ドット３０１−ｅとすることも可能である。
【００７６】
このように１つの追跡ドット３０１に記録される内容が複数の追跡ドットに分割されて記録され、それらの追跡ドットが用紙３００に付与される場合には、ヘッダとなる追跡ドット３０１−ｅに、他の追跡ドットの用紙３００上での位置と記録される内容とが記録される。  他の追跡ドットの用紙３００上での位置は、ヘッダとなる追跡ドット３０１−ｅとの相対的な位置関係により表現される。  例えば、追跡ドット３０１−ｂは同じ辺の７０ｍｍ下に位置し、追跡ドット３０１−ｃは用紙の中央から外側に向いたときに追跡ドット３０１−ｅが位置する辺の右側の辺に位置し、その位置は追跡ドット３０１−ｅが位置する辺との交点から６０ｍｍ離れた位置する、などのように表現される。
【００７７】
図７（ｃ）には、分割されて形成される追跡ドット３０１−ａ〜ｅが複数の辺にまたがって付与される場合が示されている。  このように追跡ドット３０１−ａ〜ｅが用紙３０の複数の辺にまたがって付与されるように構成されてもよい。
【００７８】
図７（ｂ）（ｃ）には、追跡ドット３０１に記録される内容を複数の追跡ドットに分割して１枚の用紙にそれら複数の追跡ドット３０１−ａ〜ｅが付与される場合について説明したが、１枚の用紙ではなくて複数枚の用紙に分割された複数の追跡ドットが付与されるように構成されてもよい。  複数枚の用紙に分割された複数の追跡ドットが付与される場合については後で図１４乃至図１８を参照して詳しく説明する。
【００７９】
次に、追跡ドット３０１が付与された用紙３００を読み取るＣＣＤ２（１０４）の構成の概略について図８を参照して説明する。
【００８０】
図８（ａ）は、画像形成装置１００に備えられるＣＣＤ２（１０４）の概要を示した模式図である。
【００８１】
図８（ａ）に示すように画像が読み取られる用紙３００がセットされる位置に、用紙３００の４辺の側面をスキャニングできるように、セットされる用紙３００の辺を取り囲む形でＣＣＤ２（１０４）が配置される。
【００８２】
このＣＣＤ２（１０４）により、スキャニングされる目的でセットされた用紙３００の追跡ドット３０１が読み取られる。
【００８３】
また、画像形成装置１００には、複数枚の用紙３００の画像を自動的に読み取る装置も備えられ、それにより複数枚の用紙３００が読み取られる場合について図８（ｂ）を参照して説明する。
【００８４】
複数枚の用紙３００の画像を自動的に読み取る装置は、図８（ｂ）に示すように、ＣＣＤ１（１０３）、ＣＣＤ２（１０４−ａ、１０４−ｂ、１０４−ｃ）を備える。
【００８５】
この装置の中で用紙３００が搬送されて用紙３００の画像（ドキュメントの画像）と用紙３００に付与された追跡ドット３０１の画像が読み取られる。
【００８６】
ＣＣＤ２（１０４−ａ）は、用紙３００の搬送方向前方に付与された追跡ドット３０１を読み取り、ＣＣＤ２（１０４−ｂ）は、用紙３００の搬送方向後方に付与された追跡ドット３０１を読み取り、ＣＣＤ２（１０４−ｃ）は、用紙３００の搬送方向に向かって左右に付与された追跡ドット３０１を読み取り、ＣＣＤ１（１０３）は、用紙３００に印刷されたドキュメントの画像を読み取る。
【００８７】
次に、追跡ドット３０１が付与された用紙３００が、画像形成装置１００でスキャニングされる場合に画像形成装置１００で行われる処理について図９を参照して説明する。
【００８８】
図９は、用紙３００がスキャナ部１０１でスキャニングされる場合の処理について示したフローチャートである。
【００８９】
まず、図９（ａ）に示すように、準備として、スキャナ部１０１のＲＯＭ／ＲＡＭ１０５に追跡ドット３０１に記録される数字と内容との対応について入力が行われる（ステップ９０１）。  図４を参照して説明した追跡ドットの一覧表の内容の入力が行われる。  この入力は、画像形成装置１００のＵ／Ｉ液晶ディスプレイ１１６、操作パネル１２８、或いはクライアントＰＣ２０のいずれかより行われる。
【００９０】
一覧表の内容が入力されて準備が終了すると、次に、実際にスキャナ部１０１に用紙３００がセットされたときには、図９（ｂ）に示すように、まず、用紙サイズ検知部１３０により用紙のサイズが検知される（ステップ９０３）。  用紙のサイズの検知は、ＣＣＤ２（１０４）による画像読み取りの位置の把握の為に行われる。
【００９１】
そして、ＣＣＤ１（１０３）とＣＣＤ２（１０４）による画像読み取りが行われる（ステップ９０４）。
【００９２】
ドキュメント用のＣＣＤ１（１０３）から読み取られた画像データがＡ／Ｄ変換部１０８、ＩＰＳ処理部１０９で処理された後、ＣＰＵ１０７に送られる（ステップ９０５）。
【００９３】
追跡ドット用のＣＣＤ２（１０４）から読み取られた画像データもＡ／Ｄ変換部１１０、ＩＰＳ処理部１１１で処理された後、ＣＰＵ１０７に送られる（ステップ９０５）。
【００９４】
そして、ＣＰＵ１０７により、ＣＣＤ２（１０４）より送られた画像データに追跡ドット３０１のバーコードの画像が含まれているか否かが判断される（ステップ９０６）。
【００９５】
追跡ドット３０１が有ると判断された場合には（ステップ９０６でＹＥＳ）、検出された追跡ドット３０１のバーコードの読み取りが行われ、読み取られたバーコードの数字とＲＯＭ／ＲＡＭ１０５に記憶される追跡ドットの一覧表の内容との確認がなされる（ステップ９０７）。
【００９６】
バーコードの数字と対応する数字が一覧表に存在することが確認されて、読み取ったドキュメントの画像データにつけるファイル名がユーザより入力される（ステップ９０８）。  ユーザによるファイル名の入力は、画像形成装置１００のＵ／Ｉ液晶ディスプレイ１１６、操作表示パネル１２８或いはクライアントＰＣ２０のいずれかより行われる。
【００９７】
ユーザより所望のファイル名が入力されると、入力されたファイル名に、ステップ９０７で確認された追跡ドット３０１のバーコードの数字が付与される（ステップ９０９）。
【００９８】
バーコードの数字が付与されたファイル名は、図１０に示すように、ユーザより入力されたファイル名の後にバーコードの数字が付けられている。  例えば、ユーザ所望のファイル名が「風景」であり、検出された追跡ドット３０１のバーコードの数字が「281474976710655」の場合には、ファイル名は「風景_281474976710655」となる。
【００９９】
そして、ＣＰＵ１０７では、ＣＣＤ１（１０３）より送られたドキュメントの画像データの属性に追跡ドット３０１の情報が記録される（ステップ９１０）。  記録される追跡ドット３０１の情報は、追跡ドット３０１のバーコードの数字に基づいてＲＯＭ／ＲＡＭ１０５に記憶される追跡ドットの一覧表より取得されるメーカ名、型式、機械番号、印刷日である。
【０１００】
追跡ドット３０１の情報が属性内に記録されたドキュメントの画像データは、ステップ９０９で生成されたファイル名で、ＲＯＭ／ＲＡＭ１０５に登録される（ステップ９１１）。
【０１０１】
また、ステップ９０６で、ＣＰＵ１０７が、ＣＣＤ（１０４）より送られた画像データに追跡ドット３０１のバーコードの画像が含まれていないと判断した場合（ステップ９０６でＮＯ）には、ＣＣＤ１（１０３）から送られたドキュメントの画像データが通常のファイル名（スキャン１、スキャン２、・・・など）が生成されて（ステップ９１２）で、ＲＯＭ／ＲＡＭ１０５に登録される（ステップ９１１）。
【０１０２】
このように、画像形成装置１００でスキャニングされた用紙３００に追跡ドット３０１が付与されていた場合には、登録されるスキャニング画像のファイル名に追跡ドット３０１に記録される数字が付与され、また登録されるスキャニング画像の画像データの属性に追跡ドット３０１に記録された内容（メーカ名など）が記録される。
【０１０３】
次に、画像形成装置１００で機密文書が複写されるときに、出力される用紙３００に追跡ドット３０１が付与される処理について図１１、図１２を参照して説明を行う。
【０１０４】
図１１、図１２は、画像形成装置１００で機密文書が複写されるときに行われる処理を示したフローチャートである。
【０１０５】
まず、図１１（ａ）に示すように、スキャナ部１０１の準備として、ＲＯＭ／ＲＡＭ１０５に、管理者が複写されることを管理したい機密書類について、その機密書類の画像データの機密パターンの登録が行われる（ステップ１１０１）。  この機密パターンは、機密書類の判別の際、画像データ比較の為に使用される機密書類の画像データより抽出される特徴量等である。
【０１０６】
そして、ユーザが画像形成装置１００を使用して複写を行おうとするときには、図１１（ｂ）に示すように、セットされた原稿のサイズが用紙サイズ検知部１３０より検知される（ステップ１１０３）。  原稿のサイズの検知は、ＣＣＤ２（１０４）による原稿の側面を読み取る位置が把握される為に行われる。
【０１０７】
そして、ＣＣＤ１（１０３）とＣＣＤ（１０４）による読み取りが行われる（ステップ１１０４）。
【０１０８】
ドキュメント用のＣＣＤ１（１０３）から読み取られた画像データがＡ／Ｄ変換部１０８、ＩＰＳ処理部１０９で処理された後、ＣＰＵ１０７に送られる（ステップ１１０５）。
【０１０９】
追跡ドット用のＣＣＤ２（１０４）から読み取られた画像データもＡ／Ｄ変換部１１０、ＩＰＳ処理部１１１で処理された後、ＣＰＵ１０７に送られる（ステップ１１０５）。
【０１１０】
そして、ＣＰＵ１０７により、ＣＣＤ１（１０３）から送られた画像データが、ステップ１１０１で登録された機密書類の機密パターンとパターンマッチングなどの処理が行われて、管理される機密書類か否かの判別が行われる（ステップ１１０６）。
【０１１１】
セットされた原稿が機密書類であると判別されると（ステップ１１０６でＹＥＳ）、ＣＣＤ１（１０３）より送られた画像データに、機密書類であることがＣＰＵ１０７で関連図けられる（ステップ１１０７）。
【０１１２】
原稿の読み取りが終了してない場合には（ステップ１１０８でＮＯ）、引き続き、残りの原稿の読み取りが行われる（ステップ１００４乃至１００７）。
【０１１３】
そして、このようにして読み取られた画像データがファイル化される（ステップ１００９）。
【０１１４】
スキャナ部１０１でファイル化されたデータは印刷部１０２に送られ、印刷部１０２では、ＣＰＵ１２６がスキャナ部１０１でファイル化されたデータを受信する（ステップ１１１０）。
【０１１５】
ＣＰＵ１２６は、ファイル化された画像データに機密書類であることが関連付けられているか否かを検証する（ステップ１１１０）。
【０１１６】
機密書類であることが関連付けられていた場合には（ステップ１１１１でＹＥＳ）、ＣＰＵ１２６は、自装置である画像形成装置１０のＩＤからメーカ名、型式、機械番号を読み取る（ステップ１１１２）。
【０１１７】
そして、ＣＰＵ１２６は、時計機能部１２３に日時を問合せ、メーカ名、型式、機械番号、印刷日を表す数字をＲＯＭ１２５に記憶される一覧表より生成する（ステップ１１１３）。  ステップ１１１３で生成された数字は、出力される用紙に付与される追跡ドット３０１のバーコードに記録される数字である。
【０１１８】
追跡ドット３０１に記録される情報が生成されると、スキャナ部１０１より受信した画像データがプリンタエンジン１２９で追跡ドット３０１が付与されて印刷出力される（ステップ１１１４）。  ここで印刷出力される用紙に付与された追跡ドット３０１に記録された情報は、印刷出力した画像形成装置１０に関する情報と印刷出力された印刷日である。
【０１１９】
また、ステップ１１１１で機密書類であることが関連付けられていない場合には（ステップ１１１１でＮＯ）、スキャナ部１０１より受信した画像データは、追跡ドット３０１が付与されることなく、プリンタエンジン１２９で通常の印刷が行われる（ステップ１１１５）。
【０１２０】
スキャナ部１０１より受信した画像データの印刷が全て終了していない場合には（ステップ１１１６でＮＯ）、引き続き、残りの画像データの印刷が行われる（ステップ１１１１乃至１１１５）。
【０１２１】
このように、複写される原稿が機密文書であると判別された場合には、印刷して出力する画像形成装置１０に関する情報が追跡ドット３０１として出力される用紙に付与される。
【０１２２】
次に、予め設定された日時に画像形成装置１００で印刷がされた場合に、出力される用紙に追跡ドット３０１が付与される処理について図１３を参照して説明を行う。
【０１２３】
図１３は、画像形成装置１００で予め設定された日時に印刷が行われたときに不正印刷と判断されて追跡ドット３０１が付与される処理について示したフローチャートである。
【０１２４】
図１３に示すように、画像形成装置１００では、電源が入りになった場合にメモリーチェック等のイニシャライズが行われ（ステップ１３０１）、画像形成装置１００がスタンバイ状態となる（ステップ１３０２）。
【０１２５】
そこで、複写による印刷指示、或いはクライアントＰＣ２０より送信された電子文書の印刷指示をＣＰＵ１２６が受信すると、印刷される画像データがＣＰＵ１２６で生成される（ステップ１３０４）。
【０１２６】
そして、ＣＰＵ１２６は、時計機能部１２３に現在日時を問合せ、ＲＯＭ１２５に記憶される予め設定された日時との比較を行う（ステップ１３０５）。  ＲＯＭ１２５に記憶される予め設定された日時とは、不正印刷と判断される日時であり、例えば、社内に設置される画像形成装置１０の場合だと、社員が会社内に通常いない時間帯や、社内休暇の日時などが設定される。  この予め設定された日時に印刷指示を受け付けた場合には、不正印刷と判断される。
【０１２７】
ＣＰＵ１２６がステップ１３０５で比較を行った結果、現在日時が予め設定された日時に含まれて不正印刷と判断されると（ステップ１３０５でＹＥＳ）、ＣＰＵ１２６は、出力する用紙に付与する追跡ドット３０１に記録される追跡ドット情報を生成する（ステップ１３０６）。  追跡ドット情報は、自装置である画像生成装置１０のメーカ名、型式、機械番号、それと印刷日とがＲＯＭ１２５に記憶される一覧表より数字化されることにより生成される。
【０１２８】
そして、追跡ドット情報が生成されたら、プリンタエンジン１２９で、生成された追跡ドット情報が追跡ドット３０１として用紙に付与されて画像データの印刷が行われる（ステップ１３０７）。
【０１２９】
また、ステップ１３０５で不正印刷と判断されなかった場合には（ステップ１３０５でＮＯ）、画像データの通常印刷が行われる（ステップ１３０８）。
【０１３０】
画像データの印刷が全て終了していない場合には（ステップ１３０９でＮＯ）、引き続き、残りの画像データの印刷が行われる（ステップ１３０４乃至１３０８）。
【０１３１】
このようにして、予め設定された日時に印刷が行われる場合には、その印刷が不正印刷であると判断されて、出力される用紙に印刷する画像形成装置１０に関する追跡ドット３０１が付与されて印刷が行われる。
【０１３２】
次に、図７を参照して説明した１つの追跡ドット３０１が複数に分割されて用紙に付与される場合について、更に詳しく図１４乃至１８を参照して説明する。
【０１３３】
図１４乃至１８では、１つの追跡ドット３０１が、ヘッダを示す追跡ドット、メーカ名を示す追跡ドット、型式を示す追跡ドット、機械番号を示す追跡ドット、印刷日を示す追跡ドットと５種類の追跡ドットに分割されて１枚以上の用紙に付与される場合について説明する。  尚、１つの追跡ドット分割される数は５種類に限定されるものではない。
【０１３４】
以下、５種類に分割された追跡ドットについて、ヘッダを示す追跡ドットをｎ＝１、メーカ名を示す追跡ドットをｎ＝２、型式を示す追跡ドットをｎ＝３、機械番号を示す追跡ドットをｎ＝４、印刷日を示す追跡ドットをｎ＝５として説明を行う。
【０１３５】
図１４（ａ）は、１つの追跡ドット３０１が複数に分割されて１枚の用紙に付与される模式図と画像形成装置１００でそれらの追跡ドットが付与された画像データが生成される処理を示したフローチャートである。
【０１３６】
図１４（ａ）に示すように、画像形成装置１００より出力される用紙は、追跡ドット３０１に記録されるメーカ名、型式、機械番号、印刷日が複数の追跡ドットに分割されて１枚の用紙に付与されてもよい。
【０１３７】
画像形成装置１００による印刷の際、追跡ドットが付与された画像データが生成される場合には、図１４（ａ）に示すように、まず、ＲＯＭ１２５に記憶される追跡ドット一覧表に基づいて、追跡ドットに記録される数字が生成される（ステップ１４０１）。
【０１３８】
そして、ＣＰＵ１２６で、分割した追跡ドットが付与される用紙の枚数である「１」が入力されると（ステップ１４０３でＹＥＳ）、ステップ１４０１で生成された追跡ドットの数字が４つに分割される（ステップ１４０４）。
【０１３９】
更に、分割された４つの追跡ドットの内容と用紙上に配置される場所を示すヘッダが生成される。  そして、ヘッダ（ｎ＝１）とｎ＝２、３、４、５の追跡ドットが配置された画像データが生成される（ステップ１４０５）。
【０１４０】
次に、１つの追跡ドット３０１が複数に分割されて２枚の用紙に付与される場合について図１４（ｂ）を参照して説明する。
【０１４１】
図１４（ｂ）は、１つの追跡ドット３０１が複数に分割されてそれらが２枚の用紙に付与される模式図と、画像形成装置１００でそれらの追跡ドットが付与された画像データが生成される処理を示したフローチャートである。
【０１４２】
図１４（ｂ）に示すように、画像形成装置１００より出力される用紙は、追跡ドット３０１に記録されるメーカ名、型式、機械番号、印刷日が複数の追跡ドットに分割されて２枚の用紙に付与されてもよい。
【０１４３】
１枚目の用紙には、ヘッダ（ｎ＝１）とメーカ名（ｎ＝２）と型式（ｎ＝３）とが付与され、２枚目の用紙には、ヘッダ（ｎ＝１）と機械番号（ｎ＝４）と印刷日（ｎ＝５）とが付与される。
【０１４４】
画像形成装置１００による印刷の際、追跡ドットが付与された画像データが生成される場合には、図１４（ｂ）に示すように、まず、ＲＯＭ１２５に記憶される追跡ドット一覧表に基づいて、追跡ドットに記録される数字が生成される（ステップ１４１１）。
【０１４５】
そして、ＣＰＵ１２６で、分割した追跡ドットが付与される用紙の枚数である「２」が入力されると（ステップ１４１３でＹＥＳ）、ステップ１４１１で生成された追跡ドットの数字が４つに分割される（ステップ１４１４）。
【０１４６】
そして、１枚目の用紙に印刷される画像データが生成される際には（ステップ１４１６で１枚目）、１枚目のヘッダ（ｎ＝１）とｎ＝２、３の追跡ドットが付与された画像データが生成される（ステップ１４１６）。  １枚目のヘッダには、ｎ＝２、３の追跡ドットの内容と付与される用紙上の位置が記録される。
【０１４７】
２枚目の用紙に印刷される画像データが生成される際には（ステップ１４１５で２枚目）、２枚目のヘッダ（ｎ＝１）とｎ＝４、５の追跡ドットが付与された画像データが生成される（ステップ１４１７）。  ２枚目のヘッダには、ｎ＝４、５の追跡ドットの内容と付与される用紙上の位置が記録される。
【０１４８】
このようにして、分割された追跡ドットが付与された２枚の用紙の画像データが生成される。
【０１４９】
次に、１つの追跡ドット３０１が複数に分割されて３枚の用紙に付与される場合について図１５を参照して説明を行う。
【０１５０】
図１５は、１つの追跡ドット３０１が複数に分割されてそれらが３枚の用紙に付与される模式図と、画像形成装置１００でそれらの追跡ドットが付与された画像データが生成される処理を示したフローチャートである。
【０１５１】
図１５に示すように、画像形成装置１００より出力される用紙は、追跡ドット３０１に記録されるメータ名、型式、機械番号、印刷日が複数の追跡ドットに分割されて３枚の用紙に付与されてもよい。
【０１５２】
１枚目の用紙には、ヘッダ（ｎ＝１）とメーカ名（ｎ＝２）と型式（ｎ＝３）とが付与され、２枚目の用紙には、ヘッダ（ｎ＝１）と機械番号（ｎ＝４）とが付与され、３枚目の用紙には、ヘッダ（ｎ＝１）と印刷日（ｎ＝５）とが付与される。
【０１５３】
画像形成装置１００による印刷の際、追跡ドットが付与された画像データが生成される場合には、図１５に示すように、まず、ＲＯＭ１２５に記憶される追跡ドット一覧表に基づいて、追跡ドットに記録される数字が生成される（ステップ１５０１）。
【０１５４】
そして、ＣＰＵ１２６で、分割した追跡ドットが付与される用紙の枚数である「３」が入力されると（ステップ１５０３でＹＥＳ）、ステップ１５０１で生成された追跡ドットの数字が４つに分割される（ステップ１５０４）。
【０１５５】
そして、１枚目の用紙に印刷される画像データが生成される際には（ステップ１５０５でＹＥＳ）、１枚目のヘッダ（ｎ＝１）とｎ＝２、３の追跡ドットが付与された画像データが生成される（ステップ１５０６）。  １枚目のヘッダには、ｎ＝２、３の追跡ドットの内容と付与される用紙上の位置が記録される。
【０１５６】
２枚目の用紙に印刷される画像データが生成される際には（ステップ１５０７でＹＥＳ）、２枚目のヘッダ（ｎ＝１）とｎ＝４の追跡ドットが付与された画像データが生成される（ステップ１５０８）。  ２枚目のヘッダには、ｎ＝４の追跡ドットの内容と付与される用紙上の位置が記録される。
【０１５７】
３枚目の用紙に印刷される画像データが生成される際には（ステップ１５０９でＹＥＳ）、３枚目のヘッダ（ｎ＝１）とｎ＝５の追跡ドットが付与された画像データが生成される（ステップ１５１０）。  ３枚目のヘッダには、ｎ＝５の追跡ドットの内容と付与される用紙上の位置が記録される。
【０１５８】
このようにして、分割された追跡ドットが付与された３枚の用紙の画像データが生成される。
【０１５９】
次に、１つの追跡ドット３０１が複数に分割されて４枚の用紙に付与される場合について図１６を参照して説明を行う。
【０１６０】
図１６は、１つの追跡ドット３０１が複数に分割されてそれらが４枚の用紙に付与される模式図と、画像形成装置１００でそれらの追跡ドットが付与された画像データが生成される処理を示したフローチャートである。
【０１６１】
図１６に示すように、画像形成装置１００より出力される用紙は、追跡ドット３０１に記録されるメータ名、型式、機械番号、印刷日が複数の追跡ドットに分割されて４枚の用紙に付与されてもよい。
【０１６２】
１枚目の用紙には、ヘッダ（ｎ＝１）とメーカ名（ｎ＝２）とが付与され、２枚目の用紙には、ヘッダ（ｎ＝１）と型式（ｎ＝３）とが付与され、３枚目の用紙には、ヘッダ（ｎ＝１）と機械番号（ｎ＝４）とが付与され、４枚目の用紙には、ヘッダ（ｎ＝１）と印刷日（ｎ＝５）とが付与される。
【０１６３】
画像形成装置１００による印刷の際、追跡ドットが付与された画像データが生成される場合には、図１６に示すように、まず、ＲＯＭ１２５に記憶される追跡ドット一覧表に基づいて、追跡ドットに記録される数字が生成される（ステップ１６０１）。
【０１６４】
そして、ＣＰＵ１２６で、分割した追跡ドットが付与される用紙の枚数である「４」が入力されると（ステップ１６０３でＹＥＳ）、ステップ１６０１で生成された追跡ドットの数字が４つに分割される（ステップ１６０４）。
【０１６５】
そして、１枚目の用紙に印刷される画像データが生成される際には（ステップ１６０５でＹＥＳ）、１枚目のヘッダ（ｎ＝１）とｎ＝２の追跡ドットが付与された画像データが生成される（ステップ１６０６）。  １枚目のヘッダには、ｎ＝２の追跡ドットの内容と付与される用紙上の位置が記録される。
【０１６６】
２枚目の用紙に印刷される画像データが生成される際には（ステップ１６０７でＹＥＳ）、２枚目のヘッダ（ｎ＝１）とｎ＝３の追跡ドットが付与された画像データが生成される（ステップ１６０８）。  ２枚目のヘッダには、ｎ＝３の追跡ドットの内容と付与される用紙上の位置が記録される。
【０１６７】
３枚目の用紙に印刷される画像データが生成される際には（ステップ１６０９でＹＥＳ）、３枚目のヘッダ（ｎ＝１）とｎ＝４の追跡ドットが付与された画像データが生成される（ステップ１６１０）。  ３枚目のヘッダには、ｎ＝４の追跡ドットの内容と付与される用紙上の位置が記録される。
【０１６８】
４枚目の用紙に印刷される画像データが生成される際には（ステップ１６１１でＹＥＳ）、４枚目のヘッダ（ｎ＝１）とｎ＝５の追跡ドットが付与された画像データが生成される（ステップ１６１２）。  ４枚目のヘッダには、ｎ＝５の追跡ドットの内容と付与される用紙上の位置が記録される。
【０１６９】
このようにして、分割された追跡ドットが付与された４枚の用紙の画像データが生成される。
【０１７０】
次に、１つの追跡ドット３０１が複数に分割されて５枚以上の用紙に付与される場合について図１７、図１８を参照して説明を行う。
【０１７１】
図１７は、１つの追跡ドット３０１が複数に分割されてそれらが５枚以上の用紙に付与される模式図であり、図１８は、画像形成装置１００でそれらの追跡ドットが付与された画像データが生成される処理を示したフローチャートである。
【０１７２】
図１７に示すように、画像形成装置１００より出力される用紙は、追跡ドット３０１に記録されるメータ名、型式、機械番号、印刷日が複数の追跡ドットに分割されて５枚以上の用紙に付与されてもよい。
【０１７３】
１枚目の用紙には、ヘッダ（ｎ＝１）とメーカ名（ｎ＝２）とが付与され、２枚目の用紙には、ヘッダ（ｎ＝１）と型式（ｎ＝３）とが付与され、３枚目の用紙には、ヘッダ（ｎ＝１）と機械番号（ｎ＝４）とが付与され、４枚目の用紙には、ヘッダ（ｎ＝１）と印刷日（ｎ＝５）とが付与され、５枚目の用紙には、ヘッダ（ｎ＝１）とメーカ名（ｎ＝２）とが付与される。  そして、６枚目の用紙には、ヘッダ（ｎ＝１）とｎ＝３、というように順番に付与される
画像形成装置１００による印刷の際、追跡ドットが付与された画像データが生成される場合には、図１８に示すように、まず、ＲＯＭ１２５に記憶される追跡ドット一覧表に基づいて、追跡ドットに記録される数字が生成される（ステップ１８０１）。
【０１７４】
そして、ＣＰＵ１２６で、分割した追跡ドットが付与される用紙の枚数である「５」以上の数字が入力されると（ステップ１８０３でＹＥＳ）、ステップ１８０１で生成された追跡ドットの数字が４つに分割される（ステップ１８０４）。
【０１７５】
そして、１枚目の用紙に印刷される画像データが生成される際には（ステップ１８０５でＹＥＳ）、１枚目のヘッダ（ｎ＝１）とｎ＝２の追跡ドットが付与された画像データが生成される（ステップ１８０６）。  １枚目のヘッダには、ｎ＝２の追跡ドットの内容と付与される用紙上の位置が記録される。
【０１７６】
２枚目の用紙に印刷される画像データが生成される際には（ステップ１８０７でＹＥＳ）、２枚目のヘッダ（ｎ＝１）とｎ＝３の追跡ドットが付与された画像データが生成される（ステップ１８０８）。  ２枚目のヘッダには、ｎ＝３の追跡ドットの内容と付与される用紙上の位置が記録される。
【０１７７】
３枚目の用紙に印刷される画像データが生成される際には（ステップ１８０９でＹＥＳ）、３枚目のヘッダ（ｎ＝１）とｎ＝４の追跡ドットが付与された画像データが生成される（ステップ１８１０）。  ３枚目のヘッダには、ｎ＝４の追跡ドットの内容と付与される用紙上の位置が記録される。
【０１７８】
４枚目の用紙に印刷される画像データが生成される際には（ステップ１８１１でＹＥＳ）、４枚目のヘッダ（ｎ＝１）とｎ＝５の追跡ドットが付与された画像データが生成される（ステップ１８１２）。  ４枚目のヘッダには、ｎ＝５の追跡ドットの内容と付与される用紙上の位置が記録される。
【０１７９】
５枚目の用紙に印刷される画像データが生成される際には（ステップ１８１３でＹＥＳ）、５枚目のヘッダ（ｎ＝１）とｎ＝２の追跡ドットが付与された画像データが生成される（ステップ１８１４）。  ５枚目のヘッダには、ｎ＝２の追跡ドットの内容と付与される用紙上の位置が記録される。
【０１８０】
６枚目以降の用紙ついても、ヘッダ（ｎ＝１）と前の用紙から順番にされるｎの値の追跡ドットが付与される（ｎの値は２乃至５を繰り返す）。
【０１８１】
このようにして、分割された追跡ドットが付与された５枚以上の用紙の画像データが生成される。
【０１８２】
尚、スキャナ部１０１の機能を備えるスキャナ単体の装置を通信回線１０に接続させて、システムが構成されてもよい。  その装置でスキャニングされた画像や追跡ドット３０１の情報が通信回線１０より画像形成装置１００やクライアント２０に送信されて、画像形成装置１００での追跡ドット３０１による認証を得た複写や、クライアント２０でスキャニングされた追跡ドット３０１の情報から追跡ドット３０１が付与されたドキュメントの内容表示などの処理が行われる。
【０１８３】
尚、追跡ドット３０１に書き込まれる情報として、上記のようなメーカ名、型式、機械番号、印刷日以外に、印刷を行ったユーザ名、印刷が行われた部署名、が書き込まれてセキュリティ管理が持ち出し禁止等のセキュリティ管理が行われてもよい。
【実施例２】
【０１８４】
実施例１において図１乃至図８を参照して説明した画像形成装置１００より出力された用紙を読み取るハンディスキャナ２００と、ハンディスキャナ２００で読み取られることを容易にするために、画像形成装置１００より出力される用紙における追跡ドット３０１の形状と付与される位置などについて、以下図面を参照して詳細に説明する。
【０１８５】
尚、図１乃至図８を参照して説明した画像形成装置１００などについての説明は重複を避けるため省略し、図１乃至図８における同一符号については同じ意味を示すものとし、同一符号に関して異なる説明が行われた場合には本実施例において説明した意味が優先される。
【０１８６】
図１９は、画像形成装置１００より出力された追跡ドット３０１が付与された用紙３００により構成される本３０２や書類の束３０３について示した模式図である。
【０１８７】
図１９に示すように、画像形成装置１００より出力された用紙３００により、本３０２や書類の束３０３が形成され、本３０２、書類の束３０３を構成する用紙３００に付与された追跡ドット３０１が、ハンディスキャナ２００により読み取られる。
【０１８８】
実施例１とは異なり、用紙３００に付与される追跡ドット３０１には、用紙３００を出力した画像形成装置１００に関する情報が記録されるのではなく、付与した用紙３００に印刷される文書の情報がユーザに把握される為に、用紙に付与される追跡ドット３０１にそれぞれ固有の追跡ドット番号が記録される。
【０１８９】
ハンディスキャナ２００は、人が持って用紙３００の側面が走査されることによって、用紙３００に付与された追跡ドット３０１の読み取りを行う。
【０１９０】
ハンディスキャナ２００は、追跡ドット３０１が付与された用紙の束である本３０２や書類の束３０３の側面の画像を読み取る。  そして、ハンディスキャナ２００は、本３０２や書類の束３０３の側面より追跡ドット３０１の追跡ドット番号を検出して、追跡ドット３０１が付与された用紙３００の内容を示す追跡ドット記録情報に基づき、本３０２や書類内容を細かくユーザに表示する。
【０１９１】
このようにハンディスキャナ２００が使用されることにより、追跡ドット３０１は用紙３００に付与されるものであるので、ドキュメントの内容が書類の束が崩されることなくユーザに把握される。
【０１９２】
また、棚に置かれた本の内容などが、棚から本が取り出されることなく、ユーザに表示され便利である。
【０１９３】
次に、ハンディスキャナ２００の構成について図２０を参照して説明を行う。
【０１９４】
図２０は、ハンディスキャナ２００の構成を示したブロック図である。
【０１９５】
図２０に示すようにハンディスキャナ２００は、ＣＣＤ１（２０１）、Ａ／Ｄ変換部２０２、ＩＰＳ処理部２０３、ＲＯＭ／ＲＡＭ２０４、ＣＰＵ２０５、電源２０６、スイッチ２０７、表示／ランプ制御部２０８、表示部２０９、ランプ２１０、操作部２１１、液晶ディスプレイ２１２、ＵＳＢポートＩ／Ｆ部２１３を備える。
【０１９６】
ＣＣＤ１（２０１）は、用紙に付与された追跡ドット３０１を含んだ画像を読み取る画像読取素子である。
【０１９７】
Ａ／Ｄ変換部２０２は、アナログ信号をデジタル信号に変換する。
【０１９８】
ＩＰＳ処理部２０３は、ノイズ処理等を行う。
【０１９９】
ＲＯＭ／ＲＡＭ２０４は、追跡ドット３０１が付与された用紙３００の内容を示す追跡ドット記録情報を記憶する処理や、追跡ドット３０１に入力された情報などを記憶する処理や、ＣＣＤ１（２０１）より読み込んだ画像を記録する処理や、追跡ドット３０１の用紙上での位置を一時記憶する等の処理を行う。
【０２００】
ＣＰＵ２０５は、ハンディスキャナ２００の統括的な制御を行い、また、ＣＣＤ１（２０１）から読み取った画像より追跡ドット３０１の内容を検索して液晶ディスプレイ２１２に表示するなどの処理を行う。
【０２０１】
電源２０６は、ハンディスキャナ２００に電源を供給する。
【０２０２】
表示／ランプ制御２０８は、表示部２０９、ランプ２１０の制御を行う。
【０２０３】
ランプ２１０は、ハンディスキャナ２００で読み取る被写体に対して光を照射する。
【０２０４】
操作部２１１は、テンキー等の各種ボタンで構成され、ユーザからの入力を受け付ける。  ユーザからの入力としては追跡ドット３０１が付与された用紙に印刷された内容が操作部２１１より入力されるという処理がある。
【０２０５】
液晶ディスプレイ２１２は、ＣＣＤ１（２０１）より読み取られて追跡ドット３０１が解析されて得られる本や書類の束の内容の表示や、選択された追跡ドット３０１の位置の表示などを行う。
【０２０６】
ＵＳＢポートＩ／Ｆ部２１３は、ＵＳＢケーブルを使用してクライアントＰＣ２０と情報の授受を行う。
【０２０７】
次に、ハンディスキャナ２００の外観について図２１を参照して説明する。
【０２０８】
図２１は、ハンディスキャナ２００の外観を示した模式図であり、図２１（ａ）はハンディスキャナ２００の表面を示した模式図であり、図２１（ｂ）はハンディスキャナ２００の裏面を示した模式図である。
【０２０９】
図２１（ａ）に示すように、ハンディスキャナの表面には、ユーザに情報を表示する液晶ディスプレイ２１２と、ユーザからの指示や情報入力を受け付ける操作部２１１が配置される。
【０２１０】
また、図２１（ｂ）に示すように、ハンディスキャナ２００の裏面には、追跡ドット３０１が付与された本や書類の束の被写体に光を照射するランプ２１０と、照射された光の反射光を読み取るＣＣＤ１（２０１）とが配置される。  ユーザが、本や書類の束に付与された追跡ドット３０１を読み取るときには、ハンディスキャナ２００の裏面が被写体上で走査される。
【０２１１】
次に、追跡ドット３０１の形状の他のパターンについて図２２を参照して説明を行う。
【０２１２】
図２２は、追跡ドット３０１の壁面のバーコードの色に合わせて用紙に印刷が施された追跡ドット３０１について示した構成図である。
【０２１３】
図２２（ａ）（ｂ）に示すように追跡ドット３０１は、バーコードを成す白色の壁面で構成される部材の間に、黒色の壁面が存在しない空間が設けられ、その空間下の用紙が黒色で印刷されている。  
これによって、追跡ドット３０１が用紙の上面や斜め方向から読み取られた場合でも、図２２（ｃ）に示すように、バーコードの黒色がより大きく表現され、バーコードの読み取り精度が向上する。
【０２１４】
次に、画像形成装置１００より連続したドキュメントが出力される場合に、用紙３００に付与される追跡ドット３０１の位置について図２３を参照して説明を行う。
【０２１５】
図２３は、画像形成装置１００より連続したドキュメントが出力される場合に、用紙３００に付与される追跡ドット３０１の位置について説明した模式図である。
【０２１６】
図２３（ａ）に示すように、画像形成装置１００より出力された用紙３００により構成される書類の束は、すべての用紙３００の同じ場所に追跡ドット３０１が付与されると、追跡ドット３０１が付与された場所は書類の厚さが厚くなってしまう（参照番号２３００）。
【０２１７】
そこで、図２３（ｂ）に示すように、束にされるドキュメントとして画像形成装置１００より一続きで出力される用紙３００の追跡ドット３０１が付与される位置がずらされるようにされると、画像形成装置１００より出力された用紙３００を束にした場合にでも、書類の束の一部分が厚くなるようなことにならない。
【０２１８】
また、このように追跡ドット３０１が付与される位置がずらされることにより、各用紙３００に付与された追跡ドット３０１が干渉して誤検知されることを防止できる。
【０２１９】
次に、画像形成装置１００より続けて出力される用紙３００について、付与される追跡ドット３０１の位置がずらされる様子について図２４を参照して説明を行う。
【０２２０】
図２４は、画像形成装置１００より続けて出力される用紙３００が、付与される追跡ドット３０１がずらされて出力される様子を示した模式図である。
【０２２１】
図２４に示すように、複数ページからなる書類の印刷のように、画像形成装置１００から用紙３００が続けて出力される場合には、付与される追跡ドット３０１の位置が出力される用紙３００毎にずらされて出力される。
【０２２２】
次に、画像形成装置１００より出力される用紙３００に付与される追跡ドット３０１の位置がずらされて出力される場合に、付与される追跡ドット３０１の位置決定処理を含めた画像形成装置１００での処理について図２５、図２６を参照して説明を行う。
【０２２３】
図２５、図２６は、追跡ドット３０１が付与される位置がずらされる場合に、画像形成装置１００で行われる処理を示すフローチャートである。
【０２２４】
追跡ドット３０１が付与される場所がずらされる場合には、図２５に示すように、画像形成装置１００で、電源が入りになってメモリーチェック等のイニシャライズが行われ（ステップ２５０１）、画像形成装置１００がスタンバイ状態となる（ステップ２５０２）。
【０２２５】
そこで、複写による印刷指示、或いはクライアントＰＣ２０より送信された電子文書の印刷指示をＣＰＵ１２６が受け付けると（ステップ２５０３でＹＥＳ）、ＣＰＵ１２６により、印刷指示によって出力される用紙の追跡ドット３０１が付与される辺の長さ（＝Ａ）が確認される（ステップ２５０４）。
【０２２６】
そして、印刷指示が片面印刷か両面印刷かが確認され、片面印刷の場合には１枚の用紙３００に付与される追跡ドット３０１の長さを２５ｍｍとしてＢ＝２５とし、また、両面印刷の場合には１枚の用紙３００に付与される追跡ドットの長さを裏と表の二つによって５０ｍｍとしてＢ＝５０とする（ステップ２５０５）。
【０２２７】
すると、追跡ドット３０１が付与される位置が用紙３００の先端からずらされて用紙の後端付近にまでに至るまでに要される用紙３００の枚数がＰとして表さる（ステップ２５０６）。  Ｐ＋１枚目の用紙３００には、先端に追跡ドット３０１が付与される。
【０２２８】
Ｐは、「Ｐ＝Ａ／Ｂ」によって計算される数の小数点以下の数を切り捨てた自然数によって決定される。
【０２２９】
そして、変数ｎが１と初期設定される（ステップ２５０７）。  
ＣＰＵ１２６では、印刷される文書の画像（追跡ドット３０１は含まれない）が生成され（ステップ２５０８）、付与される追跡ドット３０１の情報が取得される（ステップ２５０９）。
【０２３０】
ＣＰＵ１２６は、指示された印刷が両面印刷が否かを判断し（ステップ２５１０）、両面印刷である場合には（ステップ２５２０でＹＥＳ）、用紙先端から（Ｂ×（ｎ−１））で表される位置に追跡ドット３０１が付与されるように決定され（ステップ２５１１）、印刷される画像の決定された位置に追跡ドット３０１が合成される。
【０２３１】
合成された画像がプリントエンジン１２９に送られ、追跡ドット３０１が含まれた画像が印刷される（ステップ２５１２）。
【０２３２】
ＣＰＵ１２６は、次に裏面に印刷される画像を生成する（ステップ２５１３）。
【０２３３】
そして、裏面に付与される追跡ドット３０１の位置は、用紙後端から（Ｂ×（ｎ−１）＋Ｂ／２）の位置と決定され（ステップ２５１４）、裏面に印刷される画像の決定された位置に追跡ドット３０１が合成される。
【０２３４】
合成された画像がプリントエンジン１２９に送られ、追跡ドット３０１が含まれた画像が用紙３００の裏面に印刷される（ステップ２５１５）。
【０２３５】
また、印刷指示が片面印刷であった場合には（ステップ２５１０でＮＯ）、用紙先端から（Ｂ×（ｎ−１））で表される位置に追跡ドット３０１が付与されるように決定され（ステップ２５１６）、印刷される画像の決定された位置に追跡ドット３０１が合成される。
【０２３６】
合成された画像がプリントエンジン１２９に送られ、追跡ドット３０１が含まれた画像が印刷される（ステップ２５１７）。
【０２３７】
ＣＰＵ１２６は、指示された印刷が終了したか否かを判断し（ステップ２５１８）、終了していなければ、変数ｎの値を１増やす（ステップ２５１９）。
【０２３８】
そして、このときに変数ｎの値が、ステップ２５０６で決定されたＰに１を足した数と同じであるか否か確認され（ステップ２５２０）、同じでなかったら（ステップ２５２０でＮＯ）、次に印刷される画像の生成が行われる（ステップ２５０８）。
【０２３９】
また、ステップ２５２０で、変数ｎの値が、Ｐに１を足した数と同じであった場合には、次に印刷される用紙３００に付与される追跡ドット３０１は再び用紙の先端に位置されるように、変数ｎの値を１に再設定される（ステップ２５２１）。
【０２４０】
また、ステップ２５１８で印刷ジョブが終了したと判断された場合には（ステップ２５１８でＹＥＳ）、印刷の指示を待つスタンバイ状態となる（ステップ２５０２）。
【０２４１】
次に、追跡ドット３０１が付与される用紙３００の辺について図２７を参照して説明する。
【０２４２】
図２７は、用紙３００の複数の辺に追跡ドット３０１が付与される場合について示した模式図である。
【０２４３】
図２７（ａ）に示すように、画像形成装置１００から出力される用紙３００には、１つの辺だけに追跡ドット３０１が付与されるのではなく、複数の辺に追跡ドット３０１が付与されてもよい。
【０２４４】
このように用紙３００の複数の辺に追跡ドット３０１が付与されることで、図２７（ｂ）に示すように、用紙３００によって形成される書類の束がハンディスキャナ２００より読み取られる場合に、書類の束の複数の側面で追跡ドット３０１の読み取りが可能とされる。
【０２４５】
書類の束の複数の側面で追跡ドット３０１の読み取りが可能とされるので、荷物２７００などが書類の束付近に置かれるなどが原因で、１つの側面から追跡ドット３０１の読み取りが困難な場合には、他の側面から追跡ドット３０１の読み取りが行われ便利である。  次に、画像形成装置１００より出力される用紙３００によって構成される本やファイルなどの書類の束に、全ての用紙に追跡ドット３０１が付与されない場合について図２８を参照して説明を行う。
【０２４６】
図２８は、画像形成装置１００より出力される用紙３００によって構成される本や書類の束において、全ての用紙に追跡ドット３０１が付与される状態ではない場合について示した模式図である。
【０２４７】
図２８に示すように、画像形成装置１００より用紙３００が出力されて本や書類の束が構成される場合に、画像形成装置１００から連続して出力される用紙３００の全てに追跡ドット３０１が付与されるのではなく、一部の用紙３００にだけ追跡ドット３０１が付与されるように構成されてもよい。  そして、その場合には、本や書類の束に1つだけ追跡ドット３０１が付与されるような構成でもよい。
【０２４８】
次に、画像形成装置１００より出力された用紙３００に付与される追跡ドット３０１が書類の束のセパレータとして機能する場合について図２９を参照して説明する。
【０２４９】
図２９は、画像形成装置１００より出力された用紙３００に付与される追跡ドット３０１が書類の束のセパレータとして機能する場合を示した模式図である。
【０２５０】
画像形成装置１００より出力された用紙３００によって構成される書類の束には、予め設定された用紙３００にだけ追跡ドット３０１が付与され、図２９に示すように、その追跡ドット３０１が書類の束のセパレータとして機能する。
【０２５１】
追跡ドット３０１をセパレータとして機能させる場合には、発泡トナーによって形成される追跡ドット３０１の高さや長さを変化（例えば、高さを高くして長さを長くする。）させることにより、その追跡ドット３０１は、パレータとしてより効果的となる。
【０２５２】
このように画像形成装置１００より出力される書類に、予め設定された用紙３００に追跡ドット３０１が付与されることにより、その追跡ドット３０１がセパレータとして使用されるようにもできる。
【０２５３】
次に、画像形成装置１００より本や書類の内容が印刷されるときに、用紙に付与される追跡ドット３０１の内容を入力する追跡ドット記録情報入力について図３０を参照して説明する。
【０２５４】
図３０は、クライアントＰＣ２０より本や書類の印刷が画像形成装置１００に指示されたときに、クライアントＰＣ２０の図示しないディスプレイ画面上に表示される追跡ドット記録情報入力画面を示した画面構成図である。
【０２５５】
本や書類の印刷をクライアントＰＣ２０から画像形成装置１００に指示するユーザは、本や書類に付与する追跡ドット３０１が付与された用紙に印刷された内容を図３０に示す追跡ドット記録情報入力画面より入力する。
【０２５６】
追跡ドット記録情報入力画面では、出力される用紙の番号と追跡ドット３０１の番号に応じて、出力される用紙に印刷される用紙に印刷された文書の概要の記入がユーザにより行われる。
【０２５７】
また、追跡ドット３０１を用紙３００の片面に付与するか両面に付与するかの選択も行われる。
【０２５８】
そして、この追跡ドット記録情報入力画面で文書の概要が入力された追跡ドット３０１の番号が、画像形成装置１００より出力される用紙３００に付与される追跡ドット３０１にバーコードとして記録される。
【０２５９】
追跡ドット記録情報入力画面で入力された情報は、追跡ドット記録情報として、クライアントＰＣ２０内の図示しないメモリに記憶される。
【０２６０】
そして、クライアントＰＣ２０の図示しないメモリに記憶された追跡ドット記録情報は、クライアントＰＣ２０とＵＳＢケーブルによって接続されたハンディスキャナ２００に送信されて、ハンディスキャナ２００のＲＯＭ／ＲＡＭ２０４に記憶される。
【０２６１】
また、ハンディスキャナ２００のＲＯＭ／ＲＡＭ２０４への追跡ドット記録情報の記憶は、ユーザによってハンディスキャナ２００の操作部２１１が操作されて入力され記憶されてもよい。
【０２６２】
次に、ハンディスキャナ２００において追跡ドット３０１の読み取りの為の準備処理として、追跡ドット記録情報がＲＯＭ／ＲＡＭ２０４に記憶される処理について図３１を参照して説明を行う。
【０２６３】
ユーザは、クライアントＰＣ２０の図示しないメモリに記憶された追跡ドット記録情報を、ハンディスキャナ２００の操作部２１１を操作して、追跡ドット３０１毎に文字入力を行い入力する（ステップ３１０１）。
【０２６４】
次に、画像形成装置１００より出力された用紙３００によって構成される本や書類の束の追跡ドット３０１が、ハンディスキャン２００によって読み取られる処理について図３２乃至図３３を参照して説明する。
【０２６５】
まず、ハンディスキャン２００によって本や書類の束の追跡ドット３０１が付与された側面が走査される。
【０２６６】
走査される様子を図３３（ａ）に示す。  図３３（ａ）に示すようにハンディスキャン２００の裏面に設置されたＣＣＤ１（２０１）により、走査される本や書類の束の側面の画像が読み取られる（ステップ３２０１）。
【０２６７】
そして、側面の画像データは、ＣＣＤ１（２０１）からＡ／Ｄ変換部２０２、ＩＰＳ処理部２０３で処理されてＣＰＵ２０５に送られ、側面画像としてＲＯＭ／ＲＡＭ２０４に記憶される（ステップ３２０２）。
【０２６８】
ＣＰＵ２０５は、ＲＯＭ／ＲＡＭ２０４に記憶された側面画像より追跡ドット３０１のバーコードの画像を抽出する（ステップ３２０３）。
【０２６９】
そして、ＣＰＵ２０５は、側面画像における抽出した追跡ドット３０１の位置を記憶する（ステップ３２０４）。
【０２７０】
また、ＣＰＵ２０５は、検出した追跡ドット３０１の数をカウントする（ステップ３２０５）。
【０２７１】
ＣＰＵ２０５は、検出した追跡ドット３０１のバーコードの数で表される追跡ドット番号をと、ＲＯＭ／ＲＡＭ２０４に記憶される追跡ドット記録情報に記録される追跡ドット番号との比較を行い（ステップ３２０６）、一致する追跡ドット番号があると（ステップ３２０７でＹＥＳ）、ハンディスキャナ２００の液晶ディスプレイ２１２に一致した追跡ドット番号を表示する（ステップ３２０８）。
【０２７２】
そして、ＣＰＵ２０５は、一致した追跡ドット番号の追跡ドット３０１が付与された用紙に印刷された文書の内容を、ＲＯＭ／ＲＡＭ２０４に記憶される追跡ドット記録情報に基づいて、検索して、液晶ディスプレイ２１２に表示する（ステップ３２１０）。
【０２７３】
液晶ディスプレイ２１２に、検出された追跡ドット３０１についての情報が表示される様子を図３３（ｂ）に示す。
【０２７４】
ＣＰＵ２０５によって、検出された追跡ドット３０１で追跡ドット記録情報に記録されていた追跡ドット３０１についての情報が、図３３（ｂ）に示すように表示される。
【０２７５】
液晶ディスプレイ２１２には、検出された追跡ドット３０１の追跡ドット番号と、その追跡ドット３０１が付与された用紙３００に印刷された文書の内容が概要１、概要２という項目毎に表示される。
【０２７６】
そして、ステップ３２０５でカウントされた追跡ドット３０１の数だけ追跡ドット３０１が付与された用紙３００の内容が液晶ディスプレイ２１２に表示されていない場合には（ステップ３２１１でＮＯ）、検出した追跡ドット３０１の追跡ドット番号と追跡ドット記録情報に記録される追跡ドット番号との比較を再度行う（ステップ３２０６）。  そして、追跡ドット３０１が付与された用紙３００の内容が液晶ディスプレイに次々と表示される（ステップ３２０６乃至３２１１でＮＯ）。
【０２７７】
ステップ３２０５でカウントされた数だけ、追跡ドット３０１が付与された用紙３００の内容が液晶ディスプレイ２１２に表示されると（ステップ３２１１でＹＥＳ）、ユーザは、位置表示を所望する追跡ドット３０１を、液晶ディスプレイ２１２に表示された追跡ドット３０１から選択する。  ユーザによる選択は、図３３（ｂ）に示すように、追跡ドット３０１が選択されて（参照番号３２０１）、表示ボタン３２０２が押下げされて行われる。
【０２７８】
ＣＰＵ２０５では、ユーザによって選択された追跡ドット３０１の追跡ドット番号を受け付け（ステップ３２１２）、その追跡ドット番号の位置を、ステップ３２０４でＲＯＭ／ＲＡＭ２０４に記憶した追跡ドット３０１の位置に基づいて特定し（ステップ３２１３）、図３３（ｃ）に示すように、選択された追跡ドット３０１の本や書類の束の側面における位置を（参照番号３２０３）、液晶ディスプレイ２１２に表示する（ステップ３２１４）。  このように、本や書類の束の側面がハンディスキャナ２００によって読み取られて、本や書類の束の内容が液晶ディスプレイ２１２に表示され、ユーザが所望の文書を選択する（所望の文書と対応された追跡ドット３０１が選択される）ことで、ユーザ所望の文書がある位置が図３３（ｃ）に示すように液晶ディスプレイ２１２に表示される。
【０２７９】
尚、追跡ドット番号が追跡ドット３０１に記録されて、その追跡ドット３０１が付与された用紙によって構成される書類の束は、ハンディスキャナ２００による追跡ドット読み取りだけでなく、実施例１において説明した画像形成装置１００のスキャナ部１０１によって追跡ドット読み取りが行われてもよい。  その際には、ハンディスキャナ２００のＲＯＭ／ＲＡＭ２０４に記憶される追跡ドット記録情報が画像形成装置１００のＲＯＭ１２５に記憶されて、図３２を参照して説明した処理が画像形成装置１００のＣＰＵ１２６で行われ、図３３（ｂ）、（ｃ）に示した情報が操作表示パネル１２８に表示される。
【０２８０】
尚、本や書類の内容を示す為の追跡ドット３０１は、図３４に示すように、追跡ドット３０１の壁面に文字が印刷されて、本や書類の内容が示されてもよい。  その際、追跡ドットの壁面は、斜度が異なるのではなく、斜度が均一な面が形成されて、その斜度が均一な面に文字が印刷されるように構成されてもよい。
【産業上の利用可能性】
【０２８１】
この発明は、画像形成装置、画像読取装置において利用可能である。
【図面の簡単な説明】
【０２８２】
【図１】画像形成装置１００で構成されるシステム。
【図２】スキャナ部１０１の構成を示したブロック図。
【図３】印刷部１０２の構成を示したブロック図。
【図４】追跡ドットの一覧表。
【図５】追跡ドット３０１の模式図。
【図６】追跡ドット３０１の模式図。
【図７】追跡ドット３０１が複数に分割された例を示す模式図。
【図８】画像形成装置１００のＣＣＤ２の概要を示した模式図。
【図９】スキャナ部１０１でスキャニングされる処理を示したフローチャート。
【図１０】スキャンされた画像データが保存されるファイル名を示した図。
【図１１】機密文書が複写されるときの処理を示したフローチャート。
【図１２】機密文書が複写されるときの処理を示したフローチャート。
【図１３】不正印刷が行われるときの処理を示したフローチャート。
【図１４】１つの追跡ドット３０１が分割された模式図とそれらが付与された画像データが生成される処理を示したフローチャート。
【図１５】１つの追跡ドット３０１が分割された模式図とそれらが付与された画像データが生成される処理を示したフローチャート。
【図１６】１つの追跡ドット３０１が分割された模式図とそれらが付与された画像データが生成される処理を示したフローチャート。
【図１７】１つの追跡ドット３０１が分割された模式図。
【図１８】分割された追跡ドット３０１が付与された画像データが生成される処理を示したフローチャート。
【図１９】本３０３や書類の束３０３がハンディスキャナ２００で読み取られる様子を示した模式図。
【図２０】ハンディスキャナ２００の構成を示したブロック図。
【図２１】ハンディスキャナ２００の外観を示す模式図。
【図２２】用紙３００の模式図。
【図２３】用紙３００に付与される追跡ドット３０１の位置がずらされる場合について示した模式図。
【図２４】付与される追跡ドット３０１がずらされて出力される様子を示した模式図。
【図２５】付与される追跡ドット３０１の位置が決定される処理などを示したフローチャート。
【図２６】付与される追跡ドット３０１の位置が決定される処理などを示したフローチャート。
【図２７】複数の辺に追跡ドット３０１が付与された用紙３００を示した模式図。
【図２８】全ての用紙３００には追跡ドット３０１が付与されない場合を示した模式図。
【図２９】追跡ドット３０１がセパレータとして機能する場合を示した模式図。
【図３０】追跡ドット記録情報が入力される追跡ドット記録情報入力画面の画面構成図。
【図３１】追跡ドット記録情報が記憶される処理を示したフローチャート。
【図３２】本や書類がハンディスキャナ２００により読み取られる処理を示したフローチャート。
【図３３】液晶ディスプレイ２１２に表示される画面などを示した図。
【図３４】文字が印刷された追跡ドット３０１の模式図。
【符号の説明】
【０２８３】
２０    クライアントＰＣ
１００    画像形成装置
１０１    スキャナ部
１０２    印刷部
１０３    ＣＣＤ１
１０４    ＣＣＤ２
１０５    ＲＯＭ／ＲＡＭ
１０６    ランプ
１０７    ＣＰＵ
１０８    Ａ／Ｄ変換部
１０９    ＩＰＳ処理部
１１０    Ａ／Ｄ変換部
１１１    ＩＰＳ処理部
１１２    電源
１１３    スイッチ
１１４    表示／ランプ制御部
１１５    表示部
１１６    Ｕ／Ｉ液晶ディスプレイ
１１７    ローカルＩ／Ｆ部
１１８    ＮＥＴ
１２０    ＮＩＣ
１２１    ＵＳＢポートＩ／Ｆ部
１２２    データ送受信制御回路
１２３    時計機能部
１２４    ＲＡＭ
１２５    ＲＯＭ
１２６    ＣＰＵ
１２７    ビデオＩ／Ｆ部
１２８    操作表示パネル
１２９    プリンタエンジン
１３０    用紙サイズ検知部
２００    ハンディスキャナ
２０１    ＣＣＤ１
２０２    Ａ／Ｄ変換部
２０３    ＩＰＳ処理部
２０４    ＲＯＭ／ＲＡＭ
２０５    ＣＰＵ
２０６    電源
２０７    スイッチ
２０８    表示／ランプ制御部
２０９    表示部
２１０    ランプ
２１１    操作部
２１２    液晶ディスプレイ
２１３    ＵＳＢポートＩ／Ｆ部
【図１】
2009115837.tif 000003
【図２】
2009115837.tif 000004
【図３】
2009115837.tif 000005
【図４】
2009115837.tif 000006
【図５】
2009115837.tif 000007
【図６】
2009115837.tif 000008
【図７】
2009115837.tif 000009
【図８】
2009115837.tif 000010
【図９】
2009115837.tif 000011
【図１０】
2009115837.tif 000012
【図１１】
2009115837.tif 000013
【図１２】
2009115837.tif 000014
【図１３】
2009115837.tif 000015
【図１４】
2009115837.tif 000016
【図１５】
2009115837.tif 000017
【図１６】
2009115837.tif 000018
【図１７】
2009115837.tif 000019
【図１８】
2009115837.tif 000020
【図１９】
2009115837.tif 000021
【図２０】
2009115837.tif 000022
【図２１】
2009115837.tif 000023
【図２２】
2009115837.tif 000024
【図２３】
2009115837.tif 000025
【図２４】
2009115837.tif 000026
【図２５】
2009115837.tif 000027
【図２６】
2009115837.tif 000028
【図２７】
2009115837.tif 000029
【図２８】
2009115837.tif 000030
【図２９】
2009115837.tif 000031
【図３０】
2009115837.tif 000032
【図３１】
2009115837.tif 000033
【図３２】
2009115837.tif 000034
【図３３】
2009115837.tif 000035
【図３４】
2009115837.tif 000036